【手続補正書】
【提出日】平成22年12月20日(2010.12.20)
【手続補正１】
【補正対象書類名】特許請求の範囲
【補正対象項目名】全文
【補正方法】変更
【補正の内容】
【特許請求の範囲】
【請求項１】
建築物の構造部材および任意選択の被覆材を水分から保護するために、前記構造部材および任意選択の被覆材を覆うための多層建築用ラップであって、
前記建築物に隣接している透湿性耐水性バリアと；
織布、スパンボンド不織布シート、スパンレース不織布シート、スパンボンド−メルトブローン不織布シート、吸水性繊維層、スパンボンド−メルトブローン−スパンボンド不織布シートおよび穿孔フィルムからなる群から選択される、２０マイクロメートル〜１５０マイクロメートルの最大孔径を有するとともに、１０ｃｍ未満の静水頭を有する、前記建築物と反対側の多孔質の液体透過性シートを含む湿潤性の介在層と；
を含み、前記耐水性バリアと前記介在層との間に、液体水が通過できる排水用間隙が設けられるように、前記耐水性バリアおよび前記介在層は、完全には接着されない多層建築用ラップ。
【請求項２】
建築物の構造部材および任意選択の被覆材を水分から保護するために、前記構造部材および任意選択の被覆材を覆うための多層建築用ラップであって、前記ラップは、
（ａ）前記建築物に隣接している透湿性耐水性バリアと、
（ｂ）前記耐水性バリアの外側に位置決めされた介在層であって、
（ｉ）アスファルトルーフィング紙、フェルト、不織布、織物テープを含む穿孔被覆シート、穿孔フィルム、それらの積層体、ならびに不織布または織布および多孔質の透湿性フィルムを含む積層体からなる群から選択される、１マイクロメートル〜１５０マイクロメートルの最大孔径を有する透湿性シート；ならびに
（ｉｉ）１０ｃｍ未満の静水頭を有する湿潤性吸水性繊維層；
を含む介在層と
を含み、前記透湿性シートが、内側に向かって配置され、前記吸水性繊維層が、外側に向かって配置され、これらが前記介在層の透湿性が妨げられないように結合される多層建築用ラップ。
【請求項３】
建築構造物を水分から保護するために、建築物の構造部材および任意選択の被覆材を覆う方法であって、前記建築物の構造部材および任意選択の被覆材を、請求項１または２に記載の多層建築用ラップで覆う工程を含む方法。
【請求項４】
建築物の外壁組立体であって、
前記建築物の構造支持体を提供する構造部材と；
前記構造部材を取り囲む任意選択の被覆材と；
前記構造部材および任意選択の被覆材を取り囲む、請求項１または２に記載の多層建築用ラップであって、耐水性バリアが内側層であり、介在層が外側層である多層建築用ラップと；
前記介在層に接触する前記多層建築用ラップを取り囲む湿式塗布されたファサード材料を支持することが可能なラス層と；
前記ラス層と接触するとともに、前記外壁組立体の最外層を形成する湿式塗布されたファサード材料と
を含む、建築物の外壁組立体。
【手続補正２】
【補正対象書類名】明細書
【補正対象項目名】００５３
【補正方法】変更
【補正の内容】
【００５３】
表３
2010514962.tif 000001
次に、本発明の態様を示す。
１．  建築物の構造部材および任意選択の被覆材を水分から保護するために、前記構造部材および任意選択の被覆材を覆うための多層建築用ラップであって、
前記建築物に隣接している透湿性耐水性バリアと；
織布、スパンボンド不織布シート、スパンレース不織布シート、スパンボンド−メルトブローン不織布シート、吸水性繊維層、スパンボンド−メルトブローン−スパンボンド不織布シートおよび穿孔フィルムからなる群から選択される、２０マイクロメートル〜１５０マイクロメートルの最大孔径を有するとともに、１０ｃｍ未満の静水頭を有する、前記建築物と反対側の多孔質の液体透過性シートを含む湿潤性の介在層と；
を含み、前記耐水性バリアと前記介在層との間に、液体水が通過できる排水用間隙が設けられるように、前記耐水性バリアおよび前記介在層は、完全には接着されない多層建築用ラップ。
２．  前記透湿性耐水性バリアが、アスファルトルーフィング紙、フェルト、織布、フラッシュ紡糸プレキシフィラメント状シート、スパンボンド不織布シート、スパンボンド−メルトブローン不織布シート、スパンボンド−メルトブローン−スパンボンド不織布シート、織物テープを含む穿孔被覆シート、それらの積層体、ならびに不織布または織布および多孔質の透湿性フィルムを含む積層体からなる群から選択される上記１に記載の多層建築用ラップ。
３．  前記介在層が、前記介在層に湿潤性を与えるのに十分な量の界面活性剤を含むコーティングを含む上記１に記載の多層建築用ラップ。
４．  前記介在層が、前記介在層に湿潤性を与えるのに十分な量の親水性ポリマー添加剤を含む上記１に記載の多層建築用ラップ。
５．  前記介在層が、湿潤性を与えるためにプラズマ処理される上記１に記載の多層建築用ラップ。
６．  前記介在層が、シリコーンまたはＰＴＦＥを含む剥離コーティングと、前記介在層に湿潤性を与えるのに十分な量の界面活性剤とを含む上記１に記載の多層建築用ラップ。
７．  前記介在層が、より親水性の高い表面と、より親水性の低い表面とを含み、前記より親水性の高い表面が、前記耐水性バリアに面する上記１に記載の多層建築用ラップ。
８．  前記介在層が、吸水性繊維層と、織布、スパンボンド不織布シート、スパンレース不織布シート、スパンボンド−メルトブローン不織布シート、およびスパンボンド−メルトブローン−スパンボンド不織布シートからなる群から選択される層とを含む多層複合体である上記１に記載の多層建築用ラップ。
９．  前記吸水性繊維層が、吸水性繊維とポリエステル繊維との組合せを含む梳毛繊維層を含む上記８に記載の多層建築用ラップ。
１０．  建築物の構造部材および任意選択の被覆材を水分から保護するために、前記構造部材および任意選択の被覆材を覆うための多層建築用ラップであって、前記ラップは、
（ａ）前記建築物に隣接している透湿性耐水性バリアと、
（ｂ）前記耐水性バリアの外側に位置決めされた介在層であって、
（ｉ）アスファルトルーフィング紙、フェルト、不織布、織物テープを含む穿孔被覆シート、穿孔フィルム、それらの積層体、ならびに不織布または織布および多孔質の透湿性フィルムを含む積層体からなる群から選択される、１マイクロメートル〜１５０マイクロメートルの最大孔径を有する透湿性シート；ならびに
（ｉｉ）１０ｃｍ未満の静水頭を有する湿潤性吸水性繊維層；
を含む介在層と
を含み、前記透湿性シートが、内側に向かって配置され、前記吸水性繊維層が、外側に向かって配置され、これらが前記介在層の透湿性が妨げられないように結合される多層建築用ラップ。
１１．  前記耐水性バリアと前記介在層との間に、液体水が通過できる排水用間隙が設けられるように、前記耐水性バリアおよび前記介在層は、完全には接着されない上記１０に記載の多層建築用ラップ。
１２．  前記吸水性繊維層が、吸水性繊維または吸水性繊維とポリエステル繊維との組合せを含む梳毛繊維層を含む上記１０に記載の多層建築用ラップ。
１３．  前記介在層に隣接している液体透過性前置フィルタ層をさらに含み、ここで、前記前置フィルタ層が静水圧に対する抵抗性を実質的に有さない上記１または１０に記載の多層建築用ラップ。
１４．  前記介在層に隣接しているラス層をさらに含み、ここで、前記耐水性バリア、前記介在層および前記ラス層が結合されている上記１または１０に記載の多層建築用ラップ。
１５．  建築構造物を水分から保護するために、建築物の構造部材および任意選択の被覆材を覆う方法であって、前記建築物の構造部材および任意選択の被覆材を、上記１または１０に記載の多層建築用ラップで覆う工程を含む方法。
１６．  建築物の外壁組立体であって、
前記建築物の構造支持体を提供する構造部材と；
前記構造部材を取り囲む任意選択の被覆材と；
前記構造部材および任意選択の被覆材を取り囲む、上記１または１０に記載の多層建築用ラップであって、耐水性バリアが内側層であり、介在層が外側層である多層建築用ラップと；
前記介在層に接触する前記多層建築用ラップを取り囲む湿式塗布されたファサード材料を支持することが可能なラス層と；
前記ラス層と接触するとともに、前記外壁組立体の最外層を形成する湿式塗布されたファサード材料と
を含む、建築物の外壁組立体。